(57)【要約】【課題】より適切に新たな放送方式の導入を行うことができるようにする。【解決手段】送信装置から送信される伝送フレームを受信する受信部と、受信した伝送フレームから得られる伝送制御信号に基づいて、伝送フレームから得られるデータ信号に対する復調処理を行う復調部とを備え、伝送制御信号は、第１の方式との互換性がある第２の方式の導入に応じた制御情報として、時分割の制御に関する時分割制御情報を含み、復調部は、時分割制御情報に応じて動作する受信装置が提供される。本技術は、例えば、ISDB-T方式等の放送方式に対応した伝送システムに適用することができる。【選択図】図７
2020096266.tif 000002
【特許請求の範囲】
【請求項１】
送信装置から送信される伝送フレームを受信する受信部と、
受信した前記伝送フレームから得られる伝送制御信号に基づいて、前記伝送フレームから得られるデータ信号に対する復調処理を行う復調部と
を備え、
前記伝送制御信号は、第１の方式との互換性がある第２の方式の導入に応じた制御情報として、時分割の制御に関する時分割制御情報を含み、
前記復調部は、前記時分割制御情報に応じて動作する
受信装置。
【請求項２】
前記時分割制御情報は、前記伝送フレーム単位ごとの情報を含む
請求項１に記載の受信装置。
【請求項３】
前記時分割制御情報は、前記第１の方式から前記第２の方式に切り替えるときの指標に関する情報を含む
請求項２に記載の受信装置。
【請求項４】
前記指標は、前記第１の方式から前記第２の方式に切り替わるまでの前記伝送フレームの数に関する情報を含む
請求項３に記載の受信装置。
【請求項５】
前記復調部は、
前記第１の方式に対応した第１の復調部と、
前記第２の方式に対応した第２の復調部と
から構成され、
前記第１の復調部と前記第２の復調部とは、前記時分割制御情報に応じて切り替えられる
請求項１に記載の受信装置。
【請求項６】
前記第１の復調部への電力供給と前記第２の復調部への電力供給は、前記時分割制御情報に応じて制御される
請求項５に記載の受信装置。
【請求項７】
前記第１の復調部から出力される第１の出力信号と、前記第２の復調部から出力される第２の出力信号とを切り替える信号切替部をさらに備え、
前記信号切替部は、前記時分割制御情報に応じて動作する
請求項５に記載の受信装置。
【請求項８】
前記時分割制御情報は、前記伝送フレーム単位ごとの情報であって、前記第１の方式から前記第２の方式に切り替わるまでの前記伝送フレームの数に関する情報を含み、
前記第１の方式から前記第２の方式に切り替えるに際して、
前記伝送フレームの数がそれらの方式の切り替わりを示すまで、前記第１の復調部と前記第２の復調部とは同時に動作し、
前記伝送フレームの数がそれらの方式の切り替わりを示したとき、前記信号切替部はその出力を前記第１の出力信号から前記第２の出力信号に切り替えるとともに、前記第１の復調部はその動作を停止する
請求項７に記載の受信装置。
【請求項９】
前記第１の方式は、ISDB-T方式を含み、
前記第２の方式は、前記ISDB-T方式の次世代方式を含み、
前記伝送フレームは、OFDMフレームを含み、
前記伝送制御信号は、TMCC信号を含む
請求項１に記載の受信装置。
【請求項１０】
送信装置から送信される伝送フレームを受信する受信部と、
受信した前記伝送フレームから得られる伝送制御信号に基づいて、前記伝送フレームから得られるデータ信号に対する復調処理を行う復調部と
を備える受信装置が、
前記伝送制御信号に含まれる時分割制御情報であって、第１の方式との互換性がある第２の方式の導入に応じた制御情報として時分割の制御に関する前記時分割制御情報に基づいて、前記復調部を制御する
受信方法。
【請求項１１】
第１の方式との互換性がある第２の方式の導入に応じた制御情報として、時分割の制御に関する時分割制御情報を含む伝送制御信号を生成する生成部と、
生成した前記伝送制御信号を含む伝送フレームを送信する送信部と
を備える送信装置。
【請求項１２】
前記時分割制御情報は、前記伝送フレーム単位ごとの情報を含む
請求項１１に記載の送信装置。
【請求項１３】
前記時分割制御情報は、前記第１の方式から前記第２の方式に切り替えるときの指標に関する情報を含む
請求項１２に記載の送信装置。
【請求項１４】
前記指標は、前記第１の方式から前記第２の方式に切り替わるまでの前記伝送フレームの数に関する情報を含む
請求項１３に記載の送信装置。
【請求項１５】
前記第１の方式は、ISDB-T方式を含み、
前記第２の方式は、前記ISDB-T方式の次世代方式を含み、
前記伝送フレームは、OFDMフレームを含み、
前記伝送制御信号は、TMCC信号を含む
請求項１１に記載の送信装置。
【請求項１６】
送信装置が、
第１の方式との互換性がある第２の方式の導入に応じた制御情報として、時分割の制御に関する時分割制御情報を含む伝送制御信号を生成し、
生成した前記伝送制御信号を含む伝送フレームを送信する
送信方法。
【発明の詳細な説明】
【技術分野】
【０００１】
本技術は、受信装置、受信方法、送信装置、及び送信方法に関し、特に、より適切に新たな放送方式の導入を行うことができるようにした受信装置、受信方法、送信装置、及び送信方法に関する。
【背景技術】
【０００２】
例えば、日本では、地上デジタルテレビジョン放送の次世代化に向けた高度化の検討が行われ、様々な技術方式の検討がなされている（例えば、特許文献１参照）。
【先行技術文献】
【特許文献】
【０００３】
【特許文献１】特開2018-101862号公報
【発明の概要】
【発明が解決しようとする課題】
【０００４】
ところで、既存の放送方式から、当該既存の放送方式との互換性がある新たな放送方式に切り替えるに際しては、新たな放送方式の導入が適切に行われることが求められる。
【０００５】
本技術はこのような状況に鑑みてなされたものであり、より適切に新たな放送方式の導入を行うことができるようにするものである。
【課題を解決するための手段】
【０００６】
本技術の一側面の受信装置は、送信装置から送信される伝送フレームを受信する受信部と、受信した前記伝送フレームから得られる伝送制御信号に基づいて、前記伝送フレームから得られるデータ信号に対する復調処理を行う復調部とを備え、前記伝送制御信号は、第１の方式との互換性がある第２の方式の導入に応じた制御情報として、時分割の制御に関する時分割制御情報を含み、前記復調部は、前記時分割制御情報に応じて動作する受信装置である。
【０００７】
本技術の一側面の受信方法は、送信装置から送信される伝送フレームを受信する受信部と、受信した前記伝送フレームから得られる伝送制御信号に基づいて、前記伝送フレームから得られるデータ信号に対する復調処理を行う復調部とを備える受信装置が、前記伝送制御信号に含まれる時分割制御情報であって、第１の方式との互換性がある第２の方式の導入に応じた制御情報として時分割の制御に関する前記時分割制御情報に基づいて、前記復調部を制御する受信方法である。
【０００８】
本技術の一側面の受信装置、及び受信方法においては、伝送制御信号に含まれる時分割制御情報であって、第１の方式との互換性がある第２の方式の導入に応じた制御情報として時分割の制御に関する時分割制御情報に基づいて、復調部が制御される。
【０００９】
本技術の一側面の送信装置は、第１の方式との互換性がある第２の方式の導入に応じた制御情報として、時分割の制御に関する時分割制御情報を含む伝送制御信号を生成する生成部と、生成した前記伝送制御信号を含む伝送フレームを送信する送信部とを備える送信装置である。
【００１０】
本技術の一側面の送信方法は、送信装置が、第１の方式との互換性がある第２の方式の導入に応じた制御情報として、時分割の制御に関する時分割制御情報を含む伝送制御信号を生成し、生成した前記伝送制御信号を含む伝送フレームを送信する送信方法である。
【００１１】
本技術の一側面の送信装置、及び送信方法においては、第１の方式との互換性がある第２の方式の導入に応じた制御情報として、時分割の制御に関する時分割制御情報を含む伝送制御信号が生成され、生成された伝送制御信号を含む伝送フレームが送信される。
【００１２】
本技術の一側面の受信装置、及び送信装置は、独立した装置であってもよいし、１つの装置を構成している内部ブロックであってもよい。
【図面の簡単な説明】
【００１３】
【図１】本技術を適用した伝送システムの一実施の形態の構成の例を示す図である。
【図２】TMCCキャリアのビットの割り当ての例を示す図である。
【図３】TMCC情報のビットの割り当ての詳細を示す図である。
【図４】新方式導入制御情報の例を示す図である。
【図５】時分割制御情報の例を示す図である。
【図６】送信装置の構成の例を示すブロック図である。
【図７】受信装置の構成の例を示すブロック図である。
【図８】新方式の導入時の受信装置の動作を示すタイミングチャートである。
【図９】受信処理の流れを説明するフローチャートである。
【図１０】受信処理の流れを説明するフローチャートである。
【図１１】コンピュータの構成例を示す図である。
【発明を実施するための形態】
【００１４】
以下、図面を参照しながら本技術の実施の形態について説明する。なお、説明は以下の順序で行うものとする。
【００１５】
１．本技術の実施の形態
２．変形例
３．コンピュータの構成
【００１６】
＜１．本技術の実施の形態＞
【００１７】
（伝送システムの構成例）
図１は、本技術を適用した伝送システムの一実施の形態の構成を示す図である。なお、システムとは、複数の装置が論理的に集合したものをいう。
【００１８】
図１において、伝送システム１は、地上デジタルテレビジョン放送等の放送方式に対応したシステムである。伝送システム１は、各放送局に関連する施設に設置されるデータ処理装置１１−１乃至１１−Ｎ（Ｎは１以上の整数）と、送信所に設置される送信装置１０と、各ユーザにより所有される受信装置２０−１乃至２０−Ｍ（Ｍは１以上の整数）から構成される。
【００１９】
また、この伝送システム１において、データ処理装置１１−１乃至１１−Ｎと、送信装置１０とは、通信回線１２−１乃至１２−Ｎを介して接続されている。なお、通信回線１２−１乃至１２−Ｎは、例えば専用線とすることができる。
【００２０】
データ処理装置１１−１は、放送局Ａにより制作された放送コンテンツ（例えば放送番組等）のデータにエンコード等の必要な処理を施し、その結果得られる伝送データを、通信回線１２−１を介して送信装置１０に送信する。
【００２１】
データ処理装置１１−２乃至１１−Ｎにおいては、データ処理装置１１−１と同様に、放送局Ｂや放送局Ｚ等の各放送局により制作された放送コンテンツのデータが処理され、その結果得られる伝送データが、通信回線１２−２乃至１２−Ｎを介して送信装置１０に送信される。
【００２２】
送信装置１０は、通信回線１２−１乃至１２−Ｎを介して、放送局側のデータ処理装置１１−１乃至１１−Ｎから送信されてくる伝送データを受信する。送信装置１０は、データ処理装置１１−１乃至１１−Ｎからの伝送データに符号化や変調等の必要な処理を施し、その結果得られる放送信号を、送信所に設置された送信用のアンテナから送信する。
【００２３】
これにより、送信所側の送信装置１０からの放送信号は、所定の周波数帯の電波によって、受信装置２０−１乃至２０−Ｍにそれぞれ送信される。
【００２４】
受信装置２０−１乃至２０−Ｍは、例えば、テレビ受像機やセットトップボックス（STB：Set Top Box）などの固定受信機として構成され、各ユーザの自宅等に設置される。
【００２５】
受信装置２０−１は、所定の周波数帯の電波によって、送信装置１０から送信されてくる放送信号を受信して復調や復号、デコード等の必要な処理を施すことで、ユーザによる選局操作に応じた放送コンテンツ（例えば放送番組等）を再生する。
【００２６】
受信装置２０−２乃至２０−Ｍにおいては、受信装置２０−１と同様に、送信装置１０からの放送信号が処理され、ユーザによる選局操作に応じた放送コンテンツが再生される。
【００２７】
このようにして、受信装置２０においては、放送コンテンツの映像がディスプレイに表示され、その映像に同期した音声がスピーカから出力されるため、ユーザは、放送番組等の放送コンテンツを視聴することができる。
【００２８】
なお、伝送システム１において、Ｍ台の受信装置２０には、既存の放送方式（既存方式）に対応したものと、新たな放送方式（新方式）に対応したものが混在している。そこで、以下の説明では、既存方式に対応した受信装置２０を、既存方式受信装置２０Ｌと称し、新方式に対応した受信装置２０を、新方式受信装置２０Ｎと称して区別する。
【００２９】
さらに、既存方式と新方式の両方の方式に対応した受信装置２０も想定されるため、以下の説明では、当該受信装置２０を、両方式受信装置２０Ｄと称する。ただし、既存方式受信装置２０Ｌと、新方式受信装置２０Ｎと、両方式受信装置２０Ｄとを、特に区別する必要がない場合には、単に受信装置２０と称する。
【００３０】
ところで、日本では、地上デジタルテレビジョン放送の次世代化に向けた検討が行われている。ここで、既存方式（ISDB-T方式）から新方式（ISDB-T方式の次世代方式）への移行方法の１つとして、既存方式の周波数帯域を用いて、互換性のある新方式を導入することが検討されている。
【００３１】
このような既存方式との互換性がある新方式を導入する場合には、２つのフェーズが想定される。すなわち、既存方式との互換性を保持しつつ、新方式を導入する第１のフェーズと、既存方式の放送サービスを停止して新方式の運用のみが行われる第２のフェーズである。
【００３２】
そして、新方式を導入するに際しては、当該新方式の導入が適切に行われることで、既存方式受信装置２０Ｌの動作に影響を及ぼすことなく、新方式受信装置２０Ｎ又は両方式受信装置２０Ｄが新方式の放送信号を適切に受信して処理できるようにすることが求められる。
【００３３】
そこで、本技術では、伝送制御信号（TMCC信号）に、既存方式（第１の方式）との互換性がある新方式（第２の方式）の導入に応じた制御情報として、時分割の制御に関する情報（以下、時分割制御情報ともいう）を含めて、当該時分割制御情報を含む伝送制御信号が受信装置２０で処理されるようにすることで、より適切に新方式の導入が行われるようにする。
【００３４】
以下、既存方式との互換性がある新方式を導入するに際して、時分割制御情報を含む伝送制御信号を用い、より適切に新方式の導入が行われるようにした本技術を、図２乃至図１０を参照しながら詳細に説明する。
【００３５】
ところで、日本では、地上デジタルテレビジョン放送の既存方式として、ISDB-T(Integrated Services Digital Broadcasting - Terrestrial)方式が採用されている。
【００３６】
このISDB-T方式では、１つのチャンネル（周波数帯域）に割り当てられる直交周波数分割多重（OFDM：Orthogonal Frequency Division Multiplexing）が施された複数のサブキャリアの周波数帯域が１３セグメントに分割されている。OFDMは、デジタル変調の一種で、ある周波数帯域内に複数の異なるサブキャリア（副搬送波）を形成してそれらを同時に伝送することで多重化を行うものである。
【００３７】
そして、１３セグメントのうち、１２セグメントが、固定受信機向けの放送に用いられ、残りの１セグメントがモバイル受信機向けの放送（いわゆるワンセグ放送）に用いられる。また、これらの１３セグメントにおいて、同時に放送用のデータが送信される。
【００３８】
なお、１つのチャンネル（周波数帯域）は、１３セグメントに分割されているが、ここでは、１つのチャネルを最大で３階層により構成することができる。この３階層は、例えば、１セグメントからなるＡ階層と、６セグメントからなるＢ階層と、６セグメントからなるＣ階層とすることができる。ただし、各階層のセグメント数は、３つの階層（Ａ階層、Ｂ階層、Ｃ階層）のセグメントの合計が、１３セグメントを超えない範囲で任意に設定可能である。
【００３９】
また、ISDB-T方式では、伝送制御信号として、TMCC(Transmission Multiplexing Configuration Control)が規定されている。このTMCC信号は、各階層の変調方式や誤り訂正符号化率等の伝送パラメータなどの情報を含む。
【００４０】
（TMCC信号の例）
図２は、TMCCキャリアのビットの割り当ての例を示している。
【００４１】
図２においては、TMCCキャリアの204ビットＢ0〜Ｂ203のうち、ビットＢ0にはTMCCシンボルのための復調基準信号、ビットＢ1〜Ｂ16には同期信号、ビットＢ17〜Ｂ19にはセグメント形式識別、ビットＢ20〜Ｂ121にはTMCC情報、ビットＢ122〜Ｂ203にはパリティビットが割り当てられることを示している。
【００４２】
図３は、図２のTMCC情報のビットＢ20〜Ｂ121の詳細を示している。
【００４３】
TMCC情報のビットＢ20〜Ｂ121のうち、ビットＢ20〜Ｂ21にはシステム識別、ビットＢ22〜Ｂ25には伝送パラメータ切替指標、ビットＢ26には起動制御信号、ビットＢ27〜Ｂ66にはカレント情報、ビットＢ67〜Ｂ106にはネクスト情報、ビットＢ107〜Ｂ109には連結送信位相補正量が割り当てられ、ビットＢ110〜Ｂ121は未定義とされる。
【００４４】
TMCC信号は、以上のような構成を有している。
【００４５】
（本技術を適用したTMCC信号の例）
本技術では、TMCC信号に含まれるTMCC情報の未定義のビット（リザーブビット）に、新方式導入制御情報と時分割制御情報が追加されるようにする。
【００４６】
図４は、新方式導入制御情報の例を示している。
【００４７】
図４においては、TMCC情報の未定義のビットのうち、ビットＢ110の1ビットに、新方式導入制御情報が割り当てられている。
【００４８】
ここでは、TMCC情報のビットＢ110として、'0'が指定された場合には、既存方式との互換性がある新方式が導入されたことを示す。一方で、TMCC情報のビットＢ110として、'1'が指定された場合には、既存方式との互換性がある新方式の導入がないことを示す。
【００４９】
図５は、時分割制御情報の例を示している。
【００５０】
図５においては、図３のTMCC情報の未定義のビットのうち、ビットＢ111〜Ｂ114の4ビットに、時分割制御情報が割り当てられている。
【００５１】
この時分割制御情報は、OFDMフレーム等の伝送フレーム単位ごとの情報（一定の伝送フレーム単位（時間単位）で分割された時分割の情報）を含む。例えば、時分割制御情報としては、既存方式から新方式に切り替えるときの指標（切り替え指標）に関する情報を含めることができる。
【００５２】
具体的には、この切り替え指標としては、例えば、図５に示すように、既存方式から新方式に切り替わるまでの伝送フレームの数に関する情報を含めることができる。
【００５３】
すなわち、図５において、ビットＢ111〜Ｂ114の4ビットの値として、'1111'が指定された場合、通常の値であることを示す。また、ビットＢ111〜Ｂ114の4ビットの値として、'1110'が指定された場合には、切り替え１５フレーム前であることを示し、'1101'が指定された場合には、切り替え１４フレーム前であることを示す。
【００５４】
以下、同様に、ビットＢ111〜Ｂ114の4ビットの値として、'1100'，'1011'，'1010'，'1001'，'1000'，'0111'，'0110'，'0101'，'0100'，'0011'，'0010'が順に指定された場合には、その順に、切り替え前のフレーム数が１３フレーム前から１フレームずつ減じられ、切り替え前のフレーム数として、１３フレーム前から３フレーム前までが降順に示される。
【００５５】
そして、ビットＢ111〜Ｂ114の4ビットの値として、'0001'が指定された場合には、切り替え２フレーム前であることを示し、'0000'が指定された場合には、切り替え１フレーム前であることを示す。
【００５６】
以上のように、本技術では、TMCC信号に含まれるTMCC情報の未定義のビット（リザーブビット）に、新方式導入制御情報と時分割制御情報を追加している。
【００５７】
このように、TMCC情報において、新方式導入制御情報（ビットＢ110）と、時分割制御情報（ビットＢ111〜Ｂ114）を新たに定義することで、受信装置２０では、新方式導入制御情報に基づき、既存方式に新方式が導入されたかどうかを判定することができる。また、受信装置２０では、既存方式に新方式が導入されたと判定された場合に、時分割制御情報に応じた処理を行うことができる。
【００５８】
なお、図５においては、ビットＢ111〜Ｂ114の4ビットの値によって、既存方式から新方式に切り替わるまでの伝送フレームの数として、１５フレーム前からを表現したが、このフレームの数は一例であって、その環境や機器の能力などに応じて、フレーム数が１５フレームよりも多くなっても、あるいは少なくなってもよい。そして、ここでは、表現したいフレーム数に応じて割り当てられるビット数が決定される。例えば、4ビット以外に、TMCC情報の未定義のビットを利用して、3ビット以下のビットや、5ビット以上のビットを割り当ててもよい。
【００５９】
また、上述した説明では、TMCC情報として、新方式導入制御情報と時分割制御情報を追加した例を説明したが、受信装置２０では、時分割制御情報だけでも、既存方式から新方式への切り替わりを特定可能であるため、新方式導入制御情報は必ずしも追加する必要はない。
【００６０】
（送信装置の構成）
図６は、図１の送信装置１０の構成の例を示している。
【００６１】
図６において、送信装置１０は、信号処理部１１１、TMCC信号生成部１１２、及びOFDM変調部１１３を含んで構成される。
【００６２】
信号処理部１１１は、そこに伝送データとして入力される放送コンテンツのデータに対して信号処理を施し、その結果得られるデータ信号を、OFDM変調部１１３に供給する。この信号処理としては、例えば、前方誤り訂正符号化変調処理や、時間インターリーブ、周波数インターリーブ等の変調処理を含む。
【００６３】
TMCC信号生成部１１２は、伝送制御信号としてのTMCC信号を生成し、OFDM変調部１１３に供給する。このTMCC信号に含まれるTMCC情報としては、例えば、図３に示したTMCC情報のほか、未定義のビットを利用した時分割制御情報などを含めることができる。
【００６４】
OFDM変調部１１３は、伝送フレームとしてのOFDMフレームに関する処理を行う送信部（の一部）である。OFDM変調部１１３は、信号処理部１１１から供給されるデータ信号と、TMCC信号生成部１１２から供給されるTMCC信号に対してOFDM変調処理を施し、その結果得られる変調信号を、送信アンテナ（不図示）を介して、放送信号として送信（送出）する。
【００６５】
このOFDM変調処理としては、例えば、OFDMフレームの構成や、周波数領域の信号から時間領域の信号に変換する逆高速フーリエ変換(IFFT：Inverse Fast Fourier Transform)、ガードインターバル（GI：Guard Interval）を付加する処理などを含む。
【００６６】
送信装置１０は、以上のように構成される。
【００６７】
なお、ここでは、説明の簡略化のため、既存方式と新方式とを特に区別せずに説明したが、信号処理部１１１、TMCC信号生成部１１２、及びOFDM変調部１１３は、両方の方式に対応している。
【００６８】
例えば、既存方式では、放送コンテンツとして２Ｋ映像に対応した２Ｋコンテンツを処理してその放送信号（2K放送信号）が送出される一方で、新方式では、放送コンテンツとして４Ｋ映像に対応した４Ｋコンテンツを処理してその放送信号（4K放送信号）が送出されることになる。
【００６９】
具体的には、例えば、上述した第１のフェーズでは、既存方式との互換性を保持して新方式を導入するので、送信装置１０からは、2K放送信号と4K放送信号が送出される。また、上述した第２のフェーズでは、既存方式の放送サービスを停止して新方式の運用のみが行われるので、送信装置１０からは、4K放送信号のみが送出される。
【００７０】
（受信装置の構成）
図７は、図１の受信装置２０の構成の例を示している。
【００７１】
図７において、受信装置２０は、チューナ部２１１、TMCC復調部２１２、ISDB-T復調部２１３、次世代地上放送復調部２１４、及び信号切替部２１５を含んで構成される。
【００７２】
チューナ部２１１は、受信アンテナ（不図示）を介して受信される放送信号の所定の周波数帯域を選択する受信部（の一部）である。チューナ部２１１は、選択した周波数帯域の放送信号を、TMCC復調部２１２、ISDB-T復調部２１３、及び次世代地上放送復調部２１４に供給する。
【００７３】
なお、チューナ部２１１においては、OFDM復調処理として、例えば、ガードインターバル（GI）を除去する処理や、時間領域の信号を周波数領域の信号に変換する高速フーリエ変換（FFT：Fast Fourier Transform）、OFDMフレームを復調する処理などが行われる。ただし、このOFDM復調処理は、ISDB-T復調部２１３や次世代地上放送復調部２１４などの復調回路で行われるようにしてもよい。
【００７４】
TMCC復調部２１２は、チューナ部２１１から供給されるOFDMフレームに対してTMCC復調処理を施し、TMCC信号を取得する。TMCC復調部２１２は、取得したTMCC信号に含まれるTMCC情報を、ISDB-T復調部２１３、及び次世代地上放送復調部２１４の少なくとも一方の復調部に供給する。
【００７５】
また、TMCC復調部２１２は、取得したTMCC信号に含まれるTMCC情報、及び受信中の放送信号（の種別）等の情報に基づき、電源制御信号#1をISDB-T復調部２１３に、電源制御信号#2を次世代地上放送復調部２１４に、信号切替制御信号を信号切替部２１５にそれぞれ供給する。
【００７６】
ここで、電源制御信号#1は、電源部（不図示）からISDB-T復調部２１３に供給される電力を制御するための制御信号である。例えば、電源制御信号#1は、Ｈレベル又はＬレベルの信号からなり、Ｈレベルとなる場合には、ISDB-T復調部２１３に電力が供給され、Ｌレベルとなる場合には、ISDB-T復調部２１３への電力の供給は停止される。
【００７７】
また、電源制御信号#2は、電源部から次世代地上放送復調部２１４に供給される電力を制御するための制御信号である。例えば、電源制御信号#2は、Ｈレベル又はＬレベルの信号からなり、Ｈレベルとなる場合に、次世代地上放送復調部２１４に電力が供給され、Ｌレベルとなる場合には、次世代地上放送復調部２１４への電力の供給は停止される。
【００７８】
信号切替制御信号は、信号切替部２１５の出力を、ISDB-T復調部２１３からの出力信号、又は次世代地上放送復調部２１４からの出力信号に切り替えるための制御信号である。例えば、信号切替制御信号は、Ｈレベルとなる場合には、次世代地上放送復調部２１４からの出力信号が出力され、Ｌレベルとなる場合には、ISDB-T復調部２１３からの出力信号が出力される。
【００７９】
ISDB-T復調部２１３は、既存方式としてのISDB-T方式の仕様に対応した復調回路（例えば復調LSI）である。
【００８０】
ISDB-T復調部２１３には、チューナ部２１１からのOFDMフレームと、TMCC復調部２１２からのTMCC情報が供給される。ISDB-T復調部２１３は、TMCC情報に基づいて、OFDMフレームから得られるデータ信号に対して復調処理を施し、その結果得られる出力信号を信号切替部２１５に供給する。
【００８１】
また、ISDB-T復調部２１３では、TMCC復調部２１２から供給される電源制御信号#1に基づき、電源部から供給される電力が制御される。
【００８２】
次世代地上放送復調部２１４は、新方式としての次世代地上放送方式の仕様に対応した復調回路（例えば復調LSI）である。
【００８３】
次世代地上放送復調部２１４には、チューナ部２１１からのOFDMフレームと、TMCC復調部２１２からのTMCC情報が供給される。次世代地上放送復調部２１４は、TMCC情報に基づいて、OFDMフレームから得られるデータ信号に対して復調処理を施し、その結果得られる出力信号を信号切替部２１５に供給する。
【００８４】
また、次世代地上放送復調部２１４では、TMCC復調部２１２から供給される電源制御信号#2に基づき、電源部から供給される電力が制御される。
【００８５】
なお、ISDB-T復調部２１３と、次世代地上放送復調部２１４とで行われる復調処理としては、例えば、周波数デインターリーブや、時間デインターリーブ、前方誤り訂正復調復号処理などを含む。
【００８６】
信号切替部２１５は、TMCC復調部２１２から供給される信号切替制御信号に基づいて、ISDB-T復調部２１３から入力される出力信号と、次世代地上放送復調部２１４から入力される出力信号を切り替えて、いずれか一方の出力信号を、後段の部（例えばデコーダ等）に出力する。
【００８７】
受信装置２０は、以上のように構成される。
【００８８】
なお、図７に示した受信装置２０は、復調回路として、ISDB-T復調部２１３と次世代地上放送復調部２１４を有しているため、両方式受信装置２０Ｄであると言える。また、特に図示はしないが、既存方式受信装置２０Ｌは、復調回路としてISDB-T復調部２１３のみを有し、新方式受信装置２０Ｎは、復調回路として次世代地上放送復調部２１４のみを有することになる。
【００８９】
例えば、上述した第１のフェーズでは、既存方式との互換性を保持して新方式を導入するので、送信装置１０からは、2K放送信号と4K放送信号が送出されることになり、既存方式受信装置２０Ｌでは2K放送信号が受信されて２Ｋコンテンツに応じた２Ｋ映像が表示される一方で、新方式受信装置２０Ｎでは4K放送信号が受信されて４Ｋコンテンツに応じた４Ｋ映像が表示される。
【００９０】
また、上述した第２のフェーズでは、既存方式の放送サービスを停止して新方式の運用のみが行われるので、送信装置１０からは、4K放送信号のみが送出されることになり、新方式受信装置２０Ｎでは4K放送信号が受信されて４Ｋコンテンツに応じた４Ｋ映像が表示される。なお、既存方式受信装置２０Ｌでは、4K放送信号は未対応とされる。
【００９１】
以下の説明では、受信装置２０として、図７に示した両方式受信装置２０Ｄを一例に説明する。
【００９２】
ここで、図８のタイミングチャートを参照して、新方式の導入時の受信装置２０（両方式受信装置２０Ｄ）の動作を説明する。
【００９３】
図８のＡは、TMCC情報に含まれる時分割制御情報、すなわち、ビットＢ111〜Ｂ114の4ビットの値のタイミングチャートを示している。また、図８のＢとＣは、電源制御信号#1と電源制御信号#2のタイミングチャートをそれぞれ示している。さらに、図８のＤは、信号切替制御信号のタイミングチャートを示している。なお、図８において、時間の方向は、左から右に向かう方向とされる。
【００９４】
時刻t1よりも前の時間においては、ビットＢ111〜Ｂ114の4ビットの値は、'1111'、すなわち、通常の値となる。また、電源制御信号#1は、Ｈレベルとなり、電源制御信号#2は、Ｌレベルとなり、信号切替制御信号は、Ｌレベルとなる。
【００９５】
このとき、両方式受信装置２０Ｄにおいては、既存方式であるISDB-T方式の放送信号（2K放送信号）が受信され、ISDB-T復調部２１３により復調処理が行われ、ISDB-T方式に対応した出力信号（2K信号）が信号切替部２１５を介して出力される。これにより、両方式受信装置２０Ｄでは、２Ｋコンテンツに応じた２Ｋ映像が表示される。
【００９６】
その後に、時刻t1になったとき、ビットＢ111〜Ｂ114の4ビットの値が'1111'から'1110'に変化して、ISDB-T方式から次世代地上放送方式への切り替えの１４フレーム前であることを示している。
【００９７】
このとき、電源制御信号#2がＬレベルからＨレベルに変化する。これにより、両方式受信装置２０Ｄでは、次世代地上放送復調部２１４に電力の供給が開始され、次世代地上放送復調部２１４が動作を開始して、新方式である次世代地上放送方式の放送信号（4K放送信号）に対する復調処理を行うことが可能となる。
【００９８】
続いて、ビットＢ111〜Ｂ114の4ビットの値が、'1101'，'1100'，'1011'，'1010'，'1001'，'1000'，'0111'，'0110'，'0101'，'0100'，'0011'，'0010'，'0001'の順に変化することで、それに応じて切り替え前のフレーム数が13，12，11，10，9，8，7，6，5，4，3，2の順に変化する。そして、ビットＢ111〜Ｂ114の4ビットの値が、'0000'になったとき、ISDB-T方式から次世代地上放送方式への切り替え前のフレーム数が1となる。
【００９９】
そして、時刻t2になったとき、ビットＢ111〜Ｂ114の4ビットの値が'0000'から'1111'に変化して、ISDB-T方式から次世代地上放送方式に切り替えられたことを示す。このとき、信号切替制御信号がＬレベルからＨレベルに変化するとともに、電源制御信号#1がＨレベルからＬレベルに変化する。
【０１００】
これにより、両方式受信装置２０Ｄでは、信号切替部２１５の出力が、ISDB-T復調部２１３からの出力信号から次世代地上放送復調部２１４から出力信号に切り替えられるとともに、ISDB-T復調部２１３への電力の供給が停止されてISDB-T復調部２１３が動作を停止する。
【０１０１】
なお、切り替え後（時刻t2よりも後の時間）においては、ビットＢ111〜Ｂ114の4ビットの値は、'1111'、すなわち、通常の値となる。また、電源制御信号#1は、Ｌレベルとなり、電源制御信号#2は、Ｈレベルとなり、信号切替制御信号は、Ｈレベルとなる。
【０１０２】
このとき、両方式受信装置２０Ｄにおいては、新方式である次世代地上放送方式の放送信号（4K放送信号）が受信され、次世代地上放送復調部２１４により復調処理が行われ、次世代地上放送方式に対応した出力信号（4K信号）が信号切替部２１５を介して出力される。これにより、両方式受信装置２０Ｄでは、４Ｋコンテンツに応じた４Ｋ映像が表示される。
【０１０３】
以上、既存方式に対して新方式が導入される場合に、両方式受信装置２０Ｄにおいて、図８のタイミングチャートに示した動作が行われることで、例えば、次のような効果が得られる。
【０１０４】
すなわち、第１に、信号切替部２１５では、信号切替制御信号に基づき、伝送フレーム単位の精度で、ISDB-T復調部２１３と次世代地上放送復調部２１４とを切り替えることが可能となる。その結果として、例えば、既存方式と新方式とで変調方式が切り替えられた場合でも、両方式受信装置２０Ｄでは、既存方式の仕様（復調方式）に対応した復調回路と、新方式の仕様（復調方式）に対応した復調回路との切り替えを高速に行うことができる。
【０１０５】
第２に、ISDB-T復調部２１３に対する電力供給を電源制御信号#1に基づき制御するとともに、次世代地上放送復調部２１４に対する電力供給を電源制御信号#2に基づき制御することで、ISDB-T復調部２１３と次世代地上放送復調部２１４とが同時に動作する期間を最小にすることが可能となる。その結果として、両方式受信装置２０Ｄでは、例えば新方式の導入時に、全体としての消費電力を低下させることができる。
【０１０６】
次に、図９及び図１０のフローチャートを参照して、両方式受信装置２０Ｄにより実行される受信処理の流れを説明する。
【０１０７】
ここでは、まず、図９のフローチャートを参照して、TMCC情報に含まれる新方式導入制御情報（ビットＢ110）に対応した両方式受信装置２０Ｄの動作の例を説明する。
【０１０８】
ステップＳ２０１において、TMCC復調部２１２は、チューナ部２１１からのOFDM復調結果から、TMCC情報（新方式導入制御情報を含む）を取得する。そして、このTMCC情報に含まれる新方式導入制御情報に応じて以降の処理が実行される。
【０１０９】
ステップＳ２０２の判定処理では、ビットＢ110の値が判定される。ステップＳ２０２の判定処理で、新方式導入制御情報としてのビットＢ110の値が'0'である、つまり、新方式の導入があると判定された場合、処理は、ステップＳ２０３に進められる。
【０１１０】
ステップＳ２０３では、TMCC復調部２１２乃至信号切替部２１５によって、時分割制御情報の処理が実行される。この時分割制御情報の処理では、時分割制御情報（ビットＢ111〜Ｂ114の4ビットの値）に基づき、例えば、上述した図８のタイミングチャートに示した動作が行われる。
【０１１１】
なお、ステップＳ２０２の判定処理で、ビットＢ110の値が'1'である、すなわち、新方式の導入がないと判定された場合には、ステップＳ２０３の処理はスキップされる。
【０１１２】
このように、両方式受信装置２０Ｄでは、新方式導入制御情報（ビットＢ110）に基づき、既存方式に新方式が導入されたかどうかを判定し、その判定結果に応じた処理を実行することができる。
【０１１３】
次に、図１０のフローチャートを参照して、図９のステップＳ２０３の処理に対応した処理、すなわち、TMCC情報に含まれる時分割制御情報（ビットＢ111〜Ｂ114の値）に対応した両方式受信装置２０Ｄの動作の例を説明する。
【０１１４】
ただし、この例では、既存方式がISDB-T方式であり、新方式が次世代地上放送方式である場合を例示する。
【０１１５】
ステップＳ２３１において、TMCC復調部２１２は、チューナ部２１１からのOFDM復調結果から、TMCC情報（時分割制御情報を含む）を取得する。そして、このTMCC情報に含まれる時分割制御情報（ビットＢ111〜Ｂ114の4ビットの値）に応じて、ステップＳ２３２乃至２４０の処理が実行される。
【０１１６】
ステップＳ２３２の判定処理では、ビットＢ111〜Ｂ114の4ビットの値が、'0000'，'1110'，又は'1111'若しくは'1101'〜'0001'のいずれであるかが判定される。
【０１１７】
ステップＳ２３２の判定処理で、ビットＢ111〜Ｂ114の4ビットの値が、'1110'である、すなわち、切り替え１５フレーム前であると判定された場合、処理は、ステップＳ２３３に進められる。ステップＳ２３３の判定処理では、ISDB-T方式の放送信号を受信中であるかどうかが判定される。
【０１１８】
ステップＳ２３３の判定処理で、ISDB-T方式の放送信号が受信中であると判定された場合（Ｓ２３３の「YES」）、処理は、ステップＳ２３４に進められる。そして、TMCC復調部２１２では、次世代地上放送復調部２１４に対する電源制御信号#2をオン、すなわち、Ｈレベルの信号を供給する（Ｓ２３４）。
【０１１９】
このように、ビットＢ111〜Ｂ114の4ビットの値が、'1110'である場合であって、ISDB-T方式の放送信号を受信中であるとき、ISDB-T復調部２１３とともに、次世代地上放送復調部２１４が起動される。
【０１２０】
一方で、ステップＳ２３３の判定処理で、ISDB-T方式の放送信号が受信中ではないと判定された場合（Ｓ２３３の「NO」）、処理は、ステップＳ２３５に進められる。そして、TMCC復調部２１２では、ISDB-T復調部２１３に対する電源制御信号#2をオン、すなわち、Ｈレベルの信号を供給する（Ｓ２３５）。
【０１２１】
このように、ビットＢ111〜Ｂ114の4ビットの値が、'1110'である場合であって、ISDB-T方式の放送信号を受信中ではないとき、次世代地上放送復調部２１４とともに、ISDB-T復調部２１３が起動される。
【０１２２】
ステップＳ２３４又はＳ２３５の処理が終了すると、次のTMCC情報が取得されるまで、処理は停止される。そして、次のTMCC情報が取得された場合には、図１０に示した処理が再度実行される。
【０１２３】
なお、ステップＳ２３２の判定処理で、ビットＢ111〜Ｂ114の4ビットの値が、'1101'〜'0001'のいずれである、すなわち、切り替え１４フレーム前から２フレーム前までの間であると判定された場合には、次のTMCC情報が取得されるまで、処理は停止される。
【０１２４】
そして、ステップＳ２３２の判定処理で、ビットＢ111〜Ｂ114の4ビットの値が、'0000'である、すなわち、切り替え１フレーム前であると判定された場合、処理は、ステップＳ２３６に進められる。ステップＳ２３６の判定処理では、ISDB-T方式の放送信号を受信中であるかどうかが判定される。
【０１２５】
ステップＳ２３６の判定処理で、ISDB-T方式の放送信号を受信中であると判定された場合（Ｓ２３６の「YES」）、処理は、ステップＳ２３７に進められ、ステップＳ２３７，Ｓ２３８の処理が実行される。
【０１２６】
すなわち、TMCC復調部２１２では、信号切替部２１５に対する信号切替制御信号として、その入力を次世代地上放送復調部２１４に切り替える信号を供給する（Ｓ２３７）。また、TMCC復調部２１２では、ISDB-T復調部２１３に対する電源制御信号#1をオフ、すなわち、Ｌレベルの信号を供給する（Ｓ２３８）。
【０１２７】
このように、ビットＢ111〜Ｂ114の4ビットの値が、'0000'となる場合であって、ISDB-T方式の放送信号を受信中であるときには、ISDB-T復調部２１３とともに、次世代地上放送復調部２１４が起動されたので（Ｓ２３４）、次世代地上放送復調部２１４からの出力信号に切り替えて、ISDB-T復調部２１３を停止する。
【０１２８】
一方で、ステップＳ２３６の判定処理で、ISDB-T方式の放送信号を受信中ではないと判定された場合（Ｓ２３６の「NO」）、処理は、ステップＳ２３９に進められ、ステップＳ２３９，Ｓ２４０の処理が実行される。
【０１２９】
すなわち、TMCC復調部２１２では、信号切替部２１５に対する信号切替制御信号として、その入力をISDB-T復調部２１３に切り替える信号を供給する（Ｓ２３９）。また、TMCC復調部２１２では、次世代地上放送復調部２１４に対する電源制御信号#1をオフ、すなわち、Ｌレベルの信号を供給する（Ｓ２４０）。
【０１３０】
このように、ビットＢ111〜Ｂ114の4ビットの値が、'0000'となる場合であって、ISDB-T方式の放送信号を受信中でないときには、次世代地上放送復調部２１４とともに、ISDB-T復調部２１３が起動されたので（Ｓ２３５）、ISDB-T復調部２１３からの出力信号に切り替えて、次世代地上放送復調部２１４を停止する。
【０１３１】
ステップＳ２３８又はＳ２４０の処理が終了すると、次のTMCC情報が取得されるまで、処理は停止される。そして、次のTMCC情報が取得された場合には、図１０に示した処理が再度実行される。
【０１３２】
なお、ステップＳ２３２の判定処理で、ビットＢ111〜Ｂ114の4ビットの値が、'1111'である、すなわち、通常の値であると判定された場合には、次のTMCC情報が取得されるまで、処理は停止される。そして、次のTMCC情報が取得された場合には、図１０に示した処理が再度実行される。
【０１３３】
以上、受信処理の流れを説明した。
【０１３４】
＜２．変形例＞
【０１３５】
（他の放送方式の例）
上述した説明としては、地上デジタルテレビジョン放送の放送方式として、ISDB-T方式を説明したが、本技術は、他の放送方式に適用してもよい。また、地上波（地上波放送）に限らず、例えば、放送衛星（BS：Broadcasting Satellite）や通信衛星（CS：Communications Satellite）を利用した衛星放送、あるいは、ケーブルを用いた有線放送（CATV：Common Antenna TeleVision）などの放送方式に適用してもよい。
【０１３６】
（受信装置の他の構成）
また、上述した説明では、受信装置２０（図１）は、テレビ受像機やセットトップボックス（STB）などの固定受信機として構成されるとして説明したが、固定受信機には、例えば、録画機、ゲーム機、パーソナルコンピュータ、ネットワークストレージなどの電子機器を含めてもよい。さらに、受信装置２０（図１）としては、固定受信機に限らず、例えば、スマートフォンや携帯電話機、タブレット型コンピュータ等のモバイル受信機、車載テレビ等の車両に搭載される車載機器、ヘッドマウントディスプレイ（HMD：Head Mounted Display）等のウェアラブルコンピュータなどの電子機器を含めてもよい。
【０１３７】
さらに、図６に示した構成を有する送信装置１０を、変調装置又は変調部（例えば変調回路）などとして捉えてもよい。同様に、図７に示した構成を有する受信装置２０を、復調装置又は復調部（例えば復調回路や復調IC）などとして捉えてもよい。
【０１３８】
（通信回線を含む構成）
また、伝送システム１（図１）においては、図示していないが、インターネット等の通信回線に対し、各種のサーバが接続されるようにして、通信機能を有する受信装置２０（図１）が、インターネット等の通信回線を介して、各種のサーバにアクセスして双方向の通信を行うことで、コンテンツやアプリケーション等の各種のデータを受信できるようにしてもよい。
【０１３９】
（その他）
なお、本開示において用いられる用語は、一例であって、他の用語が用いられるのを意図的に排除するものではない。例えば、上述した説明において、フレームは、例えば、パケットなどの他の用語で置き換えられる場合がある。
【０１４０】
また、本開示において、「２Ｋ映像」とは、概ね1920×1080ピクセル前後の画面解像度に対応した映像であり、「４Ｋ映像」とは、概ね3840×2160ピクセル前後の画面解像度に対応した映像である。また、上述した説明では、放送コンテンツとして、既存の放送方式（既存方式）で伝送される２Ｋ映像の２Ｋコンテンツと、新たな放送方式（新方式）で伝送される４Ｋ映像の４Ｋコンテンツを説明したが、新方式で伝送される放送コンテンツとしては、８Ｋ映像等のさらに高画質のコンテンツであってもよい。ただし、「８Ｋ映像」とは、概ね7680×4320ピクセル前後の画面解像度に対応した映像である。
【０１４１】
＜３．コンピュータの構成＞
【０１４２】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。図１１は、上述した一連の処理をプログラムにより実行するコンピュータのハードウェアの構成例を示す図である。
【０１４３】
コンピュータ１０００において、CPU(Central Processing Unit)１００１、ROM(Read Only Memory)１００２、RAM(Random Access Memory)１００３は、バス１００４により相互に接続されている。バス１００４には、さらに、入出力インターフェース１００５が接続されている。入出力インターフェース１００５には、入力部１００６、出力部１００７、記録部１００８、通信部１００９、及び、ドライブ１０１０が接続されている。
【０１４４】
入力部１００６は、キーボード、マウス、マイクロフォンなどよりなる。出力部１００７は、ディスプレイ、スピーカなどよりなる。記録部１００８は、ハードディスクや不揮発性のメモリなどよりなる。通信部１００９は、ネットワークインターフェースなどよりなる。ドライブ１０１０は、磁気ディスク、光ディスク、光磁気ディスク、又は半導体メモリなどのリムーバブル記録媒体１０１１を駆動する。
【０１４５】
以上のように構成されるコンピュータ１０００では、CPU１００１が、ROM１００２や記録部１００８に記録されているプログラムを、入出力インターフェース１００５及びバス１００４を介して、RAM１００３にロードして実行することにより、上述した一連の処理が行われる。
【０１４６】
コンピュータ１０００（CPU１００１）が実行するプログラムは、例えば、パッケージメディア等としてのリムーバブル記録媒体１０１１に記録して提供することができる。また、プログラムは、ローカルエリアネットワーク、インターネット、デジタル衛星放送といった、有線又は無線の伝送媒体を介して提供することができる。
【０１４７】
コンピュータ１０００では、プログラムは、リムーバブル記録媒体１０１１をドライブ１０１０に装着することにより、入出力インターフェース１００５を介して、記録部１００８にインストールすることができる。また、プログラムは、有線又は無線の伝送媒体を介して、通信部１００９で受信し、記録部１００８にインストールすることができる。その他、プログラムは、ROM１００２や記録部１００８に、あらかじめインストールしておくことができる。
【０１４８】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されてもよいし、複数のコンピュータによって分散処理されてもよい。
【０１４９】
なお、本技術の実施の形態は、上述した実施の形態に限定されるものではなく、本技術の要旨を逸脱しない範囲において種々の変更が可能である。
【０１５０】
また、本技術は、以下のような構成をとることができる。
【０１５１】
（１）
送信装置から送信される伝送フレームを受信する受信部と、
受信した前記伝送フレームから得られる伝送制御信号に基づいて、前記伝送フレームから得られるデータ信号に対する復調処理を行う復調部と
を備え、
前記伝送制御信号は、第１の方式との互換性がある第２の方式の導入に応じた制御情報として、時分割の制御に関する時分割制御情報を含み、
前記復調部は、前記時分割制御情報に応じて動作する
受信装置。
（２）
前記時分割制御情報は、前記伝送フレーム単位ごとの情報を含む
前記（１）に記載の受信装置。
（３）
前記時分割制御情報は、前記第１の方式から前記第２の方式に切り替えるときの指標に関する情報を含む
前記（１）又は（２）に記載の受信装置。
（４）
前記指標は、前記第１の方式から前記第２の方式に切り替わるまでの前記伝送フレームの数に関する情報を含む
前記（３）に記載の受信装置。
（５）
前記復調部は、
前記第１の方式に対応した第１の復調部と、
前記第２の方式に対応した第２の復調部と
から構成され、
前記第１の復調部と前記第２の復調部とは、前記時分割制御情報に応じて切り替えられる
前記（１）に記載の受信装置。
（６）
前記第１の復調部への電力供給と前記第２の復調部への電力供給は、前記時分割制御情報に応じて制御される
前記（５）に記載の受信装置。
（７）
前記第１の復調部から出力される第１の出力信号と、前記第２の復調部から出力される第２の出力信号とを切り替える信号切替部をさらに備え、
前記信号切替部は、前記時分割制御情報に応じて動作する
前記（５）又は（６）に記載の受信装置。
（８）
前記時分割制御情報は、前記伝送フレーム単位ごとの情報であって、前記第１の方式から前記第２の方式に切り替わるまでの前記伝送フレームの数に関する情報を含み、
前記第１の方式から前記第２の方式に切り替えるに際して、
前記伝送フレームの数がそれらの方式の切り替わりを示すまで、前記第１の復調部と前記第２の復調部とは同時に動作し、
前記伝送フレームの数がそれらの方式の切り替わりを示したとき、前記信号切替部はその出力を前記第１の出力信号から前記第２の出力信号に切り替えるとともに、前記第１の復調部はその動作を停止する
前記（７）に記載の受信装置。
（９）
前記第１の方式は、ISDB-T方式を含み、
前記第２の方式は、前記ISDB-T方式の次世代方式を含み、
前記伝送フレームは、OFDMフレームを含み、
前記伝送制御信号は、TMCC信号を含む
前記（１）乃至（８）のいずれかに記載の受信装置。
（１０）
送信装置から送信される伝送フレームを受信する受信部と、
受信した前記伝送フレームから得られる伝送制御信号に基づいて、前記伝送フレームから得られるデータ信号に対する復調処理を行う復調部と
を備える受信装置が、
前記伝送制御信号に含まれる時分割制御情報であって、第１の方式との互換性がある第２の方式の導入に応じた制御情報として時分割の制御に関する前記時分割制御情報に基づいて、前記復調部を制御する
受信方法。
（１１）
第１の方式との互換性がある第２の方式の導入に応じた制御情報として、時分割の制御に関する時分割制御情報を含む伝送制御信号を生成する生成部と、
生成した前記伝送制御信号を含む伝送フレームを送信する送信部と
を備える送信装置。
（１２）
前記時分割制御情報は、前記伝送フレーム単位ごとの情報を含む
前記（１１）に記載の送信装置。
（１３）
前記時分割制御情報は、前記第１の方式から前記第２の方式に切り替えるときの指標に関する情報を含む
前記（１１）又は（１２）に記載の送信装置。
（１４）
前記指標は、前記第１の方式から前記第２の方式に切り替わるまでの前記伝送フレームの数に関する情報を含む
前記（１３）に記載の送信装置。
（１５）
前記第１の方式は、ISDB-T方式を含み、
前記第２の方式は、前記ISDB-T方式の次世代方式を含み、
前記伝送フレームは、OFDMフレームを含み、
前記伝送制御信号は、TMCC信号を含む
前記（１１）乃至（１４）のいずれかに記載の送信装置。
（１６）
送信装置が、
第１の方式との互換性がある第２の方式の導入に応じた制御情報として、時分割の制御に関する時分割制御情報を含む伝送制御信号を生成し、
生成した前記伝送制御信号を含む伝送フレームを送信する
送信方法。
【符号の説明】
【０１５２】
１  伝送システム，  １０  送信装置，  １１，１１−１乃至１１−Ｎ  データ処理装置，  ２０，２０−１乃至２０−Ｍ  受信装置，  ２０Ｄ  両方式受信装置，  ２０Ｌ  既存方式受信装置，  ２０Ｎ  新方式受信装置，  １１１  信号処理部，  １１２  TMCC信号生成部，  １１３  OFDM変調部，  ２１１  チューナ部，  ２１２  TMCC復調部，  ２１３  ISDB-T復調部，  ２１４  次世代地上放送復調部，  ２１５  信号切替部，  １０００  コンピュータ，  １００１  CPU
【図１】
2020096266.tif 000003
【図２】
2020096266.tif 000004
【図３】
2020096266.tif 000005
【図４】
2020096266.tif 000006
【図５】
2020096266.tif 000007
【図６】
2020096266.tif 000008
【図７】
2020096266.tif 000009
【図８】
2020096266.tif 000010
【図９】
2020096266.tif 000011
【図１０】
2020096266.tif 000012
【図１１】
2020096266.tif 000013